(57)【特許請求の範囲】
【請求項１】
複数の端子収容室を有するハウジングと、前記端子収容室にそれぞれ設けられた可撓係止片と、前記端子収容室に収容されると共に前記可撓係止片に係止される電気端子と、固定部材とを具備し、前記ハウジングの互いに隣接する前記端子収容室間の側壁の前記可撓係止片に対応する水平部分に、該端子収容室同士を連通させる切欠を形成し、前記固定部材に、前記ハウジングの前記切欠に挿入されると共に前記端子収容室間を仕切る仕切り壁を設けた電気コネクタにおいて、
前記可撓係止片は、前記ハウジングの前記端子収容室の壁から該端子収容室内へ前記ハウジングと一体的に延びており、
前記固定部材は、前記ハウジングに対して仮係止位置及び本係止位置をとると共に、前記端子収容室の壁及び前記可撓係止片間に形成された空間に挿入される固定部を有し、
前記固定部材の前記仮係止位置において、前記電気端子の前記端子収容室内への挿入及び前記可撓係止片による前記電気端子の係止を可能にし、前記固定部材の前記本係止位置への移行の際に、前記固定部が前記空間に進入して前記可撓係止片を固定することを特徴とする電気コネクタ。
【請求項２】
前記固定部材の前記仕切り壁に、前記端子収容室に収容された前記電気端子の側壁を支持する端子支持部を設けたことを特徴とする請求項１記載の電気コネクタ。
【発明の詳細な説明】
【０００１】
【発明の属する技術分野】
本発明は、電気端子を係止する可撓係止片を固定する固定部材を有する電気コネクタに関するものである。
【０００２】
【従来の技術】
従来、電気端子をハウジング本体内に収容した後に、固定部材をハウジング本体内に挿着し、電気端子を係止する可撓係止片を固定部材により固定するコネクタとして、例えば、図５に示すものが知られている（実開平１−６４８７２号公報参照）。
このコネクタ１００は、ハウジング本体１０１の内部に電気端子１０５を収容する端子収容室１０２を有し、端子収容室１０２の上部に電気端子１０５の上側後端を係止して電気端子１０５の後方への抜けを防止する可撓係止片１０３を形成している。
そして、電気端子１０５をハウジング本体１０１の端子収容室１０２内に収容した後に固定部材１０６を可撓係止片１０３の上方に形成された空間１０４に前方から挿着し、これにより、電気端子１０５を係止する可撓係止片１０３を固定するものであった。
【０００３】
【発明が解決しようとする課題】
ところで、この従来のコネクタ１００においては、可撓係止片１０３の側方に対応する水平位置には、隣接する端子収容室１０２を仕切る側壁が存在する。
その一方で、射出成形により可撓係止片１０３を形成するためには、可撓係止片１０３の側方の対応する水平位置に相手金型が挿入される所定幅の空間が必要である。
このため、従来のコネクタ１００にあっては、可撓係止片１０３の横幅を大きくとることができず、電気端子１０５を端子収容室１０２に収容した後の電気端子１０５に対する保持力が弱くなってしまうという問題点があった。
【０００４】
従って、本発明の目的は、可撓係止片の幅を大きくすることを可能とし、電気端子を端子収容室に収容した後の電気端子に対する保持力を強固にした電気コネクタをコンパクトな形状で提供することにある。
【０００５】
【課題を解決するための手段】
本発明に係る電気コネクタは、複数の端子収容室を有するハウジングと、前記端子収容室にそれぞれ設けられた可撓係止片と、前記端子収容室に収容されると共に前記可撓係止片に係止される電気端子と、固定部材とを具備し、前記ハウジングの互いに隣接する前記端子収容室間の側壁の前記可撓係止片に対応する水平部分に、該端子収容室同士を連通させる切欠を形成し、前記固定部材に、前記ハウジングの前記切欠に挿入されると共に前記端子収容室間を仕切る仕切り壁を設けた電気コネクタにおいて、前記可撓係止片は、前記ハウジングの前記端子収容室の壁から該端子収容室内へ前記ハウジングと一体的に延びており、前記固定部材は、前記ハウジングに対して仮係止位置及び本係止位置をとると共に、前記端子収容室の壁及び前記可撓係止片間に形成された空間に挿入される固定部を有し、前記固定部材の前記仮係止位置において、前記電気端子の前記端子収容室内への挿入及び前記可撓係止片による前記電気端子の係止を可能にし、前記固定部材の前記本係止位置への移行の際に、前記固定部が前記空間に進入して前記可撓係止片を固定することを特徴としている。
【０００６】
上記固定部材の上記仕切り壁に、上記端子収容室に収容された上記電気端子の側壁を支持する端子支持部を設けると一層効果的である。
【０００７】
【発明の実施の形態】
本発明の実施の形態を図面を参照して説明する。図１は本発明の電気コネクタを示し、（Ａ）は電気コネクタの縦断面図、（Ｂ）は（Ａ）の１Ｂ−１Ｂ線に沿った断面図であり、１つの電気端子だけが端子収容室内に収容されている状態を示す。
【０００８】
この図１において、電気コネクタ１は、ハウジング本体１１内に複数の端子収容室１２を有すると共にそれぞれの端子収容室１２に可撓係止片１５を設けたハウジング１０と、このハウジング１０のそれぞれの端子収容室１２内に収容されると共に可撓係止片１５に係止される複数の電気端子３０と、可撓係止片１５を固定する固定部材４０とを具備している。
【０００９】
図２はハウジングを示し、（Ａ）はハウジングの平面図、（Ｂ）はハウジングの右側面図、（Ｃ）はハウジングの正面図である。図３はハウジングを示し、（Ａ）は図２（Ｃ）の３Ａ−３Ａ線に沿った断面図、（Ｂ）は図２（Ｃ）の３Ｂ−３Ｂ線に沿った断面図である。
これらの図において、ハウジング１０は、複数（本実施形態にあっては５個）の端子収容室１２を有するハウジング本体１１を具備し、このハウジング本体１１は射出成形により形成されている。図２（Ｃ）及び図３（Ｂ）に示すように、右端（図２（Ｃ）における右端）の端子収容室１２、１２は上下並列に２個設けられている。それぞれの端子収容室１２には、端子収容室１２の上壁から前方（図３（Ｂ）における左方）に延びる可撓係止片１５が突出形成され、可撓係止片１５の上方に固定部材４０の固定部４６が挿入される空間２４が形成されている。又、互いに隣接する端子収容室１２、１２間の側壁１３の可撓係止片１５に対応する水平部分には、端子収容室１２、１２同士を連通させる切欠１４がハウジング本体１１の前端から後方に延びるように形成され、右端及び左端の端子収容室１２、１２の側壁２５、２５の可撓係止片１５に対応する水平部分には、凹部１６、１６がハウジング本体１１の前端から後方に延びるように形成されている。切欠１４及び凹部１６には、成形時に、可撓係止片１５を形成するための相手金型（図示せず）が挿入される。一方、ハウジング本体１１の前端には、固定部材４０が収容される固定部材収容凹部１７が形成され、ハウジング本体１１の上壁には、固定部材４０を仮に係止するための仮係止用突起２３及び固定部材４０を真に係止するための本係止用突起２２がハウジング本体１１の前端から順次突出形成されている。なお、ハウジング本体１１の上壁後端には、相手コネクタ（図示せず）が嵌合した時に、この相手コネクタを係止するための係止孔２１を有する相手コネクタ係止片２０が前方に向けて突出形成され、相手コネクタ係止片２０の後端及びハウジング本体１１の下部壁後端には、それぞれ相手コネクタとの係止を解除するための第１把持部１８及び第２把持部１９が突出形成されている。
【００１０】
電気端子３０は、図１に示すように、相手コネクタの端子（図示せず）が嵌合接続される相手端子接続部３１と、電線が圧着接続される電線接続部３２とからなっている。
【００１１】
図４は固定部材を示し、（Ａ）は固定部材の正面図、（Ｂ）は固定部材の背面図、（Ｃ）は（Ｂ）の４Ｃ−４Ｃ線に沿った断面図、（Ｄ）は（Ｂ）の４Ｄ−４Ｄ線に沿った断面図、（Ｅ）は（Ｂ）の４Ｅ−４Ｅ線に沿った断面図、（Ｆ）は固定部材の平面図である。
【００１２】
この図４において、固定部材４０は、相手コネクタの端子が挿通可能な複数の相手端子挿通孔４２を有する固定部材本体４１を具備し、この固定部材本体４１は射出成形により形成されている。相手端子挿通孔４２は、ハウジング１０の端子収容室１２に対応する位置に設けられている。固定部材本体４１の各相手端子挿通孔４２の上方には、ハウジング１０の可撓係止片１５の上方に形成された空間２４に挿入される複数（本実施形態では５個）の固定部４６が突出形成されている。又、各固定部４６の間の下方には、ハウジング１０の凹部１６に挿入されると共に端子収容室１２間を仕切る複数（本実施形態では３個）の仕切り壁４３が突出形成されている。各仕切り壁４３の前方には、両側にハウジング１０の切欠１４への挿入時に可撓係止片１５への干渉を防止するための逃げ凹部４５ａを形成した仕切り部４５が設けられ、仕切り壁４３の後方には、その両側で端子収容室１２に収容された電気端子３０の相手端子接続部３１の側壁を支持する端子支持部４４を設けている。更に、固定部材本体４１の上部にはハウジング１０に係止するための係止片４７が固定部４６と略平行に突出形成され、この係止片４７には固定部材４０を仮に係止するための仮係止用孔４９と、固定部材４０を真に係止するための本係止用孔４８とが形成されている。仮係止用孔４９は、本係止用孔４８よりも、固定部材挿着方向において長い孔となっている。
【００１３】
次に、電気コネクタ１の組立てについて、図１乃至図４を参照して説明する。先ず、固定部材４０をハウジング１０の前方から押し込み、固定部材４０の仮係止用孔４９をハウジング１０の仮係止用突起２３に係合させ、固定部材４０のハウジング１０に対する仮係止を行う。
【００１４】
次に、この状態で電線（図示せず）を電線接続部３２に圧着接続した複数の電気端子３０をハウジング１０の各端子収容室１２の後方から挿入し、電気端子３０を端子収容室１２内に収容する。電気端子３０を端子収容室１２内に挿入することにより、端子収容室１２の上方に形成した可撓係止片１５の先端が、電気端子３０の相手端子接続部３１の上側後端に係合し、電気端子３０のハウジング１０に対する後方への抜け止めがなされる。ここで、互いに、隣接する端子収容室１２、１２間の側壁１３には、端子収容室１２、１２同士を連通させる切欠１４が形成され、この切欠１４に成形時において可撓係止片１５を形成するための相手金型が挿入されるようになっているので、可撓係止片１５の横幅を端子収容室１２の横幅いっぱいにとることができる。このため、可撓係止片１５が電気端子３０に係合した後における可撓係止片１５の電気端子３０に対する保持力は強く、簡単に電気端子３０がハウジング１０外へ抜け出ることはないものとなっている。
【００１５】
そして、固定部材４０をハウジング１０に対し更に押し込み、固定部材４０の固定部４６を可撓係止片１５の上方に形成された空間２４に挿入すると共に、固定部材４０の本係止用孔４８をハウジング１０の本係止用突起２２に係合させ、固定部材４０のハウジング１０に対する本係止を行う。これにより、可撓係止片１５の上方への動きが固定部４６により規制されて可撓係止片１５が固定される。その一方で、図１（Ｂ）に示すように、固定部材４０の各仕切り壁４３はハウジング１０の各切欠１４に挿入され、この仕切り壁４３により端子収容室１２、１２間が仕切られる。このため、隣接する電気端子３０同士が接触する危険性はない。又、仕切り壁４３が切欠１４に挿入された際には、仕切り壁４３の端子支持部４４が電気端子３０の相手端子接続部３１の側壁を支持する。このため、電気端子３０が側方（図１（Ｂ）において上下方向）にぐらつくことはない。
【００１６】
【発明の効果】
請求項１に係る電気コネクタによれば、互いに隣接する端子収容室間の側壁の可撓係止片に対応する水平部分に、該端子収容室同士を連通させる切欠を形成してるので、成形時においてこの切欠に可撓係止片を形成するための相手金型を挿入することが可能となる。このため、可撓係止片の横幅を端子収容室の横幅いっぱいにとることができ、可撓係止片が電気端子に係合した後における可撓係止片の電気端子に対する保持力は、強くなり電気端子が簡単にハウジング外へ抜け出ることはなく、電気コネクタ全体の大きさもコンパクトなものとなる。又、固定部材にはハウジングの切欠に挿入されると共に端子収容室間を仕切る仕切り壁を設けてあるので、隣接する電気端子同士が短絡することはないものである。
【００１７】
又、請求項２に係る電気コネクタによれば、固定部材の仕切り壁に、端子収容室に収容された電気端子の側壁を支持する端子支持部を設けてあるので、上記効果に加えて電気端子が側方にぐらつくことはないものである。
【図面の簡単な説明】
【図１】本発明の電気コネクタを示し、（Ａ）は電気コネクタの縦断面図、（Ｂ）は（Ａ）の１Ｂ−１Ｂ線に沿った断面図であり、１つの電気端子だけが端子収容室内に収容されている状態を示す。
【図２】図１に示す電気コネクタのハウジングを示し、（Ａ）はハウジングの平面図、（Ｂ）はハウジングの右側面図、（Ｃ）はハウジングの正面図である。
【図３】図１に示す電気コネクタのハウジングを示し、（Ａ）は図２（Ｃ）の３Ａ−３Ａ線に沿った断面図、（Ｂ）は図２（Ｃ）の３Ｂ−３Ｂ線に沿った断面図である。
【図４】図１に示す電気コネクタの固定部材を示し、（Ａ）は固定部材の正面図、（Ｂ）は固定部材の背面図、（Ｃ）は（Ｂ）の４Ｃ−４Ｃ線に沿った断面図、（Ｄ）は（Ｂ）の４Ｄ−４Ｄ線に沿った断面図、（Ｅ）は（Ｂ）の４Ｅ−４Ｅ線に沿った断面図、（Ｆ）は固定部材の平面図である。
【図５】従来のコネクタを示し、（Ａ）は固定部材の縦断面図、（Ｂ）はハウジング本体の縦断面図である。
【符号の説明】
１      電気コネクタ
１０    ハウジング
１２    端子収容室
１３    側壁
１４    切欠
１５    可撓係止片
３０    電気端子
４０    固定部材
４３    仕切り壁
４４    端子支持部
【図１】
0003783797.tif 000002
【図２】
0003783797.tif 000003
【図３】
0003783797.tif 000004
【図４】
0003783797.tif 000005
【図５】
0003783797.tif 000006